【手続補正書】
【提出日】平成16年1月22日(2004.1.22)
【手続補正１】
【補正対象書類名】明細書
【補正対象項目名】特許請求の範囲
【補正方法】変更
【補正の内容】
【特許請求の範囲】
【請求項１】
胴の軸が揺動可能に配置された支持レバー間に支持されている、輪転印刷機における胴当ておよび胴逃がし用装置において、
前記軸（７）が、該軸（７）を回転させる案内部材（27、29；28、31）を軸（７）の両端（24、26）にそれぞれ備えていることを特徴とする胴当ておよび胴逃がし用装置。
【請求項２】
前記案内部材（27、29；28、31）がクランク機構である、請求項１記載の装置。
【請求項３】
前記クランク機構が、前記軸（７）上に回転できないように配置されたクランク（27、28）と、側枠（５、６）に揺動可能に支持され、前記クランク上に回転可能に支持されたリンクロッド（28、31）とを備える、請求項２記載の装置。
【請求項４】
前記クランク（27、28）と前記リンクロッド（29、31）が互いに所定の角度（φ）で配置されている、請求項３記載の装置。
【請求項５】
前記胴（３）が前記軸（７）上に回転可能に支持され、前記軸（７）は調節可能な偏心ブッシュ（12、13）によって支持レバー（９、11）に支持されている、請求項１から４のいずれか1項に記載の装置。
【請求項６】
少なくとも１つの支持レバー（９、11）に、該支持レバーの位置決め用の作動装置（34、36）を備えている、請求項１から５のいずれか1項に記載の装置。
【請求項７】
前記作動装置（34、36）が、側枠上に固定された作動シリンダである、請求項１から６のいずれか1項に記載の装置。
【請求項８】
前記胴（３）が、版を取付ける胴（２）と協働するゴム胴である、請求項１から７のいずれか1項に記載の装置。
【手続補正２】
【補正対象書類名】明細書
【補正対象項目名】０００１
【補正方法】変更
【補正の内容】
【０００１】
【発明の属する技術分野】
本発明は、胴の軸が揺動可能に配置されたように支持されている、輪転印刷機における胴当ておよび胴逃がし用装置に関する。


【手続補正３】
【補正対象書類名】明細書
【補正対象項目名】０００２
【補正方法】変更
【補正の内容】
【０００２】
【従来の技術】
この種の装置が、ドイツ特許公開第3232171A1号公報により公知となっている。この公報は、支持レバーの端部に偏心調節可能に支持された、輪転印刷機のゴム胴を開示しており、側枠にそれぞれ固定された作動シリンダを備えており、この作動シリンダはゴム胴の位置決めを行うためにそのつど支持レバーに係合する。


【手続補正４】
【補正対象書類名】明細書
【補正対象項目名】０００３
【補正方法】変更
【補正の内容】
【０００３】
【発明が解決しようとする課題】
この公知の構造においては、ゴム胴の位置が斜めとなることによりブレを引き起こすおそれがあり、このブレは、支持レバーに両側部で係合する作動シリンダによっても、その時点で存在する同期状態の変動のために防ぐことは不可能である。


【手続補正５】
【補正対象書類名】明細書
【補正対象項目名】０００４
【補正方法】変更
【補正の内容】
【０００４】
本発明の目的は、胴の軸の揺動運動を同期させる装置を提供することにある。


【手続補正６】
【補正対象書類名】明細書
【補正対象項目名】０００６
【補正方法】変更
【補正の内容】
【０００６】
本発明の利点は、例えばゴム胴またはゴムブランケット胴（オフセット胴）のような揺動可能な胴の軸の、輪転印刷機の隣接する胴、例えば版を取付ける胴の（版胴）の軸に対する平行度を、狭い許容範囲（約0.02mm）内に保つことができることにある。輪転印刷機における胴の胴当ておよび胴逃がしに際して生じる、この公知のいわゆる「ブレ」をほとんど避けることができ、印刷の品質を向上させることが可能になる。


【手続補正７】
【補正対象書類名】明細書
【補正対象項目名】０００７
【補正方法】変更
【補正の内容】
【０００７】
クランク機構を用いた、本発明による軸案内の構造は構造が簡単であり、そのためコスト的に有利に製造することができる。


【手続補正８】
【補正対象書類名】明細書
【補正対象項目名】０００８
【補正方法】変更
【補正の内容】
【０００８】
さらに、クランク機構を用いていることにより調節対象胴の軸の追加的な調節動作を行うことも可能になる。この動作は、ゴム胴を版胴から胴逃がしさせる作用をする偏心ブッシュによって生じるものである。


【手続補正９】
【補正対象書類名】明細書
【補正対象項目名】０００９
【補正方法】変更
【補正の内容】
【０００９】
クランク機構における継ぎ手部材（クランク、ガイドロッド）を互いに約90°の角度φで配置した配置は、継ぎ手部材にかかる力が最小になるので、この継ぎ手部材をコンパクトな構造とすることができる。
好適な構成としては、側枠の両側に、支持レバーを位置決めするための作動シリンダを各支持レバーごとに備えることが好ましい。
さらにまた、本発明による同期装置によって、任意の側に作動シリンダを１つだけ備えるようにすることも可能になる。


【手続補正１０】
【補正対象書類名】明細書
【補正対象項目名】００１０
【補正方法】変更
【補正の内容】
【００１０】
【発明の実施の形態】
次に、本発明の実施の形態を図を参照して説明する。
輪転印刷機の印刷ユニット１は、版胴２と、この版胴２と協働するゴム胴３と、圧胴４とを主に備えている。版胴２と圧胴４は、輪転印刷機の側枠５、６内に回転可能に取り付けられている。ゴム胴３は回転可能に軸７上に支持されており、他方、この軸は、側枠５、６の外側で版胴２の軸８周りに揺動可能に配された２つの支持レバー９、11内に回転可能に支持されている。このような配置とすることにより、ゴム胴３は、胴当てまたは胴逃がしの間、版胴２へ当てられた状態となっている。軸７は、調節可能な偏心ブッシュ12、13によってそれぞれ支持レバー９、11内で支持されている。このようにすることにより、ゴム胴３は、圧胴４から胴逃がしさせる際、付随的に版胴２から胴逃がしさせることができる。偏心ブッシュ12、13の調節用として作動シリンダ14、16が備えられているが、これら作動シリンダは支持レバー９、11に回動可能に取り付けられているとともに、それぞれそのピストンロッド17、18の一端が、２つのアーム19、21から構成されるトグルレバー22、23につながっている。これらのトグルレバーは第１のアーム19によって支持レバー９、11に、また第２のアーム21によって偏心ブッシュ12、13に、それぞれ関節接合されている。ゴム胴３の軸７は、その端部24、26が側枠５、６および偏心ブッシュ12、13をそれぞれ接触することなく貫通して、両側に突き出ており、それぞれクランク27、28を回転不能にとりつけている。クランク27、28は、側枠に固定されたボルト32、33へ回転可能に支持されているガイドロッド29、31に、それぞれ揺動可能に連結されている。クランク27、28とガイドロッド29、31との角度φは、例えば約90°になっている。ゴム胴３を圧胴４から胴逃がしさせる場合、支持レバー9、11は、これらにつながるとともに側枠に固定された作動シリンダ34、36によって、本実施形態では時計とは逆回り方向に版胴２の軸８まわりを回動する。クランク機構27、29および28、31の形式をとるこれらの案内動作は、支持レバー９、11の揺動に同調して動き始める軸７の回転運動を、同じく逆時計回りで各軸端24、26に生じさせるように作用する。これにより、軸７したがってゴム胴３の揺動が、軸８または版胴２に平行に行われる。


【手続補正１１】
【補正対象書類名】明細書
【補正対象項目名】００１１
【補正方法】変更
【補正の内容】
【００１１】
胴逃がしを行うに際しては、偏心ブッシュ12、13によって版胴２からのゴム胴３の胴逃がしを行うことができるが、このとき、作動シリンダ14、16のピストンロッド17、18が引き入れられてトグルレバー22、23は方向を変えられることになる。


【手続補正１２】
【補正対象書類名】明細書
【補正対象項目名】００１２
【補正方法】変更
【補正の内容】
【００１２】
【図面の簡単な説明】
【図１】本発明による胴当ておよび胴逃がし装置の概略図である。
【図２】胴軸用の支持レバーの側面図である。
【図３】図２III−III線に沿う断面図である。
【符号の説明】
１  印刷ユニット
２  版胴
３  ゴム胴
４  圧胴
５  側枠
６  側枠
７  軸
８  軸
９  支持レバー
１１  支持レバー
１２  偏心ブッシュ
１３  偏心ブッシュ
１４  作動シリンダ
１６  作動シリンダ
１７  ピストンロッド
１８  ピストンロッド
１９  アーム
２１  アーム
２２  トグルレバー
２３  トグルレバー
２４  端部
２６  端部
２７  クランク
２８  クランク
２９  リンクロッド
３１  リンクロッド
３２  ボルト
３３  ボルト
３４  作動シリンダ
３６  作動シリンダ


【手続補正１３】
【補正対象書類名】図面
【補正対象項目名】全図
【補正方法】変更
【補正の内容】
【図１】
1997201939.tif 000001
【図２】
1997201939.tif 000002
【図３】
1997201939.tif 000003